(57)【要約】【課題】複数台のＰＣＳを、それらからの出力が必要以上に制限されない形で制御できる出力制御装置を提供する。【解決手段】全出力電力を売電する、出力制御機能を有する複数台のＰＣＳを制御する出力制御装置は、前記複数台のＰＣＳのそれぞれについて、電力会社からの指示に従った出力制御値が設定されている状態での出力電力の上限値である上限出力電力を算出する算出手段と、前記電力会社からの指示に従った前記出力制御値を前記複数台のＰＣＳのそれぞれに初期値として設定する設定手段と、前記複数台のＰＣＳの出力電力の総和である総出力電力が、前記複数台のＰＣＳの前記上限出力電力の総和である総上限出力電力未満である場合に、前記複数台のＰＣＳの中の少なくとも１台の、その出力電力がその上限出力電力に制御されているＰＣＳの出力制御値を増加させる第１調整手段と、を備える。【選択図】図１
2018153003.tif 000002
【特許請求の範囲】
【請求項１】
全出力電力を売電する、出力制御機能を有する複数台のパワーコンディショナ（ＰＣＳ）を制御する出力制御装置であって、
前記複数台のＰＣＳのそれぞれについて、電力会社からの指示に従った出力制御値が設定されている状態での出力電力の上限値である上限出力電力を算出する算出手段と、
前記電力会社からの指示に従った前記出力制御値を前記複数台のＰＣＳのそれぞれに初期値として設定する設定手段と、
前記複数台のＰＣＳの出力電力の総和である総出力電力が、前記複数台のＰＣＳの前記上限出力電力の総和である総上限出力電力未満である場合に、前記複数台のＰＣＳの中の少なくとも１台の、その出力電力がその上限出力電力に制御されているＰＣＳの出力制御値を増加させる第１調整手段と、
を備える
ことを特徴とする出力制御装置。
【請求項２】
前記総出力電力が前記総上限出力電力を超えている場合に、前記複数台のＰＣＳの中の少なくとも１台の、その出力制御値が前記初期値よりも大きくなっているＰＣＳの出力制御値を減少させる第２調整手段を、さらに備える
ことを特徴とする請求項１に記載の出力制御装置。
【請求項３】
余剰電力を売電する、出力制御機能を有する複数台のパワーコンディショナ（ＰＣＳ）を制御する出力制御装置であって、
前記複数台のＰＣＳのそれぞれについて、電力会社からの指示に従った出力制御値が設定されている状態での出力電力の上限値である上限出力電力を算出する算出手段と、
前記電力会社からの指示に従った前記出力制御値を前記複数台のＰＣＳのそれぞれに初期値として設定する設定手段と、
系統に逆潮流している電力である逆潮流電力を測定する測定手段と、
前記測定手段による逆潮流電力の測定結果に基づき、前記系統への逆潮流が発生しないように、前記複数台のＰＣＳの中の少なくとも１台の、その出力電力がその上限出力電力に制御されているＰＣＳの出力制御値を増加させる調整手段と、
を備える
ことを特徴とする出力制御装置。
【発明の詳細な説明】
【技術分野】
【０００１】
本発明は、出力制御装置に関する。
【背景技術】
【０００２】
系統を安定化するために、近年のパワーコンディショナ（ＰＣＳ）には、電力会社から指定される出力制御値で規定される上限電力（＝契約容量×出力制御値）以下となるように出力電力を制御する出力制御機能が付与されている（例えば、特許文献１参照）。
【先行技術文献】
【特許文献】
【０００３】
【特許文献１】特開２０１６−１５８４１２号公報
【発明の概要】
【発明が解決しようとする課題】
【０００４】
複数台のＰＣＳで１つの発電所が構成されている場合の出力制御ルールは、明確には規定されていない。ただし、当該出力制御ルールは、１つのＰＣＳで１つの発電所が構成されている場合と同様に、『発電所の出力（複数台のＰＣＳの総出力）を、“発電所単位での契約容量（各ＰＣＳの契約容量の総和）×出力制御値”以下とする』といったようなものとなると思われる。
【０００５】
個々のＰＣＳの出力を“契約容量×出力制御値”（以下、ＰＣＳの出力上限電力と表記する）未満に制御しても、発電所の出力を“発電所単位での契約容量×出力制御値”以下とすることは出来る。ただし、発電源（太陽電池パネル等）の発電電力が“契約容量×出力制御値”未満となっている１台以上のＰＣＳが存在している場合に、各ＰＣＳの出力を各ＰＣＳの出力上限電力以下に制御すると、複数台のＰＣＳからの出力が必要以上に制限されてしまうことになる。
【０００６】
そこで、本発明の課題は、複数台のＰＣＳを、それらからの出力が必要以上に制限されない形で制御できる出力制御装置を提供することにある。
【課題を解決するための手段】
【０００７】
上記課題を解決するため、本発明の第１の態様の出力制御装置は、全出力電力を売電する、出力制御機能を有する複数台のパワーコンディショナ（ＰＣＳ）を制御する出力制御装置であって、前記複数台のＰＣＳのそれぞれについて、電力会社からの指示に従った出力制御値が設定されている状態での出力電力の上限値である上限出力電力を算出する算出手段と、前記電力会社からの指示に従った前記出力制御値を前記複数台のＰＣＳのそれぞれに初期値として設定する設定手段と、前記複数台のＰＣＳの出力電力の総和である総出力電力が、前記複数台のＰＣＳの前記上限出力電力の総和である総上限出力電力未満である場合に、前記複数台のＰＣＳの中の少なくとも１台の、その出力電力がその上限出力電力に制御されているＰＣＳの出力制御値を増加させる第１調整手段と、を備える。
【０００８】
すなわち、複数台のＰＣＳのそれぞれに、電力会社からの指示に従った出力制御値を初期値として設定した後に、何台かのＰＣＳの出力電力がその上限出力電力未満となっている状態（つまり、何台かのＰＣＳの出力が制限されていない状態）が形成される場合がある。なお、電力会社からの指示に従った出力制御値とは、電力会社から指示される契約容量ベースの出力制御値をＰＣＳ容量ベースの出力制御値に変換した値のことである。
【０００９】
そのような場合、総出力電力が総上限出力電力未満となる。また、そのような場合、出力が制限されていないＰＣＳの出力制御値を増加させても、総出力電力は増加しないが、出力が制限されているＰＣＳの出力制御値を増加させれば、通常、総出力電力が増加する。従って、上記構成を有する本発明の第１の態様の出力制御装置によれば、全出力電力を売電する複数台のＰＣＳを、それらからの出力が必要以上に制限されない形（各ＰＣＳの出力を各ＰＣＳの上限出力電力に制御した場合よりも総出力電力が多くなる形）で、制御することが出来る。
【００１０】
本発明の第１の態様の出力制御装置の第１調整手段は、出力制御値を所定量だけ増加少させる手段であっても、出力制御値を、総上限出力電力と総出力電力の差分に応じた量、増加させる手段であっても良い。
【００１１】
また、本発明の第１の態様の出力制御装置を実現する際には、前記総出力電力が前記総上限出力電力を超えている場合に、前記複数台のＰＣＳの中の少なくとも１台の、その出力制御値が前記初期値よりも大きくなっているＰＣＳの出力制御値を減少させる第２調整手段を追加しておくことが好ましい。なお、第２調整手段としては、出力制御値を所定量ずつ減少させる手段や、出力制御値を初期値まで減少させる手段を採用することが出来る。
【００１２】
上記課題を解決するため、本発明の第２の態様の出力制御装置は、余剰電力を売電する、出力制御機能を有する複数台のパワーコンディショナ（ＰＣＳ）を制御する出力制御装置であって、前記複数台のＰＣＳのそれぞれについて、電力会社からの指示に従った出力制御値が設定されている状態での出力電力の上限値である上限出力電力を算出する算出手段と、前記電力会社からの指示に従った前記出力制御値を前記複数台のＰＣＳのそれぞれに初期値として設定する設定手段と、系統に逆潮流している電力である逆潮流電力を測定する測定手段と、前記測定手段による逆潮流電力の測定結果に基づき、前記系統への逆潮流が発生しないように、前記複数台のＰＣＳの中の少なくとも１台の、その出力電力がその上限出力電力に制御されているＰＣＳの出力制御値を増加させる調整手段と、を備える。
【００１３】
すなわち、本発明の第２の態様の出力制御装置は、余剰電力を売電する複数台のＰＣＳを、各ＰＣＳの出力を各ＰＣＳの上限出力電力に制御した場合よりも総出力電力が多くなる形で制御することが出来る。従って、本発明の第２の態様の出力制御装置によっても、複数台のＰＣＳを、それらからの出力が必要以上に制限されない形で制御することが出来る。
【発明の効果】
【００１４】
本発明によれば、複数台のＰＣＳを、それらからの出力が必要以上に制限されない形で制御することが出来る。
【図面の簡単な説明】
【００１５】
【図１】本発明の第１実施形態に係る出力制御装置の概略構成及び使用形態の説明図である。
【図２】第１実施形態に係る出力制御装置の制御管理部が実行する総出力調整処理の流れ図である。
【図３】総出力調整処理中で実行される出力増大処理の流れ図である。
【図４】総出力調整処理中で実行される出力低減処理の流れ図である。
【図５】本発明の第２実施形態に係る出力制御装置の概略構成及び使用形態の説明図である。
【図６】第２実施形態に係る出力制御装置の制御管理部が実行する総出力調整処理の流れ図である。
【発明を実施するための形態】
【００１６】
以下、図面を参照して、本発明を実施するための形態を例示的に詳しく説明する。
【００１７】
《第１実施形態》
図１に、本発明の第１実施形態に係る出力制御装置１０１の概略構成及び使用形態を示す。
【００１８】
本実施形態に係る出力制御装置１０１は、全出力電力を売電する複数台のパワーコンディショナ（ＰＣＳ）２５からなる発電所と組み合わされて使用される装置である。出力制御装置１０１と組み合わされる発電所内の各ＰＣＳ２５は、太陽電池パネル２０の発電電力を交流に変換して系統３０に出力する電力変換装置である。各ＰＣＳ２５は、出力制御機能を有している。以下、出力制御装置１０１と組み合わされる発電所内のＮ（≧２）台のＰＣＳ２５のことを、ＰＣＳ＃１〜ＰＣＳ＃Ｎとも表記する。また、ＰＣＳ＃Ｘ（Ｘ＝１〜Ｎ）のＸのことを、ＰＣＳ番号と表記する。
【００１９】
出力制御装置１０１は、各ＰＣＳ＃Ｘ（Ｘ＝１〜Ｎ）の出力制御機能を利用して、発電所の出力電力（ＰＣＳ＃１〜ＰＣＳ＃Ｎの総出力電力）が、“発電所単位での契約容量×出力制御値”以下となるように調整する装置である。図示してあるように、出力制御装置１０１は、ＮＷ−ＩＦ１１とＩＦ１２と制御管理部１３１と記憶部１４とを備えている。
【００２０】
ＩＦ１２は、ＰＣＳ＃１〜ＰＣＳ＃Ｎと通信を行うためのインターフェース回路である。ＮＷ−ＩＦ１１は、容量設定用のコンピュータ（図示略；詳細は後述）や電力サーバ４０と通信を行うためのインターフェース回路である。なお、電力サーバ４０とは、系統３０を管理している電力会社が、出力制御スケジュールを配布するために運営しているサーバのことである。
【００２１】
記憶部１４は、不揮発性メモリ（ＲＯＭ、ＨＤＤ等）と揮発性メモリ（ＲＡＭ）とにより構成された、各種情報を記憶しておくためのユニットである。
【００２２】
制御管理部１３１は、ＣＰＵとその周辺回路で構成された、容量設定受付処理、出力制御スケジュール取得処理、初期設定処理、総出力調整処理等を行うユニットである。なお、記憶部１４の不揮発性メモリには、ＣＰＵが、出力制御装置１０１の電源投入時に記憶部１４の揮発性メモリ上に読み出して実行するプログラムが記憶されている。ＣＰＵが当該プログラムを実行することにより、制御管理部１３１は、上記した各種処理を行うユニットとして機能する。
【００２３】
以下、制御管理部１３１が行う各処理について説明する。
【００２４】
容量設定受付処理は、容量設定用のコンピュータを入出力装置として機能させることにより、ユーザに、各ＰＣＳ＃Ｘ（Ｘ＝１〜Ｎ）のＰＣＳ容量とパネル容量とを設定させ、設定された各ＰＣＳ＃ＸのＰＣＳ容量及びパネル容量を記憶部１４（不揮発性メモリ）に記憶する処理である。ここで、ＰＣＳ＃ＸのＰＣＳ容量とは、ＰＣＳ＃Ｘの定格容量のことである。また、ＰＣＳ＃Ｘのパネル容量とは、ＰＣＳ＃Ｘに接続されている太陽電池パネル２０の定格容量のことである。
【００２５】
出力制御スケジュール取得処理は、電力サーバ４０から出力制御スケジュールを取得して記憶部１４（不揮発性メモリ）に保存する処理である。制御管理部１３１は、この出力制御スケジュール取得処理を周期的に行う。
【００２６】
初期設定処理は、出力制御スケジュールで指定されている出力制御値の変更日時となったときに、制御管理部１３１が実行する処理である。初期値設定処理時、制御管理部１３１は、以下のように動作する。
【００２７】
制御管理部１３１は、まず、出力制御スケジュールで指定されている契約容量ベースの出力制御値ｂから、各ＰＣＳ＃Ｘ（Ｘ＝１〜Ｎ）についてのＰＣＳ容量ベースの出力制御値ａＸを算出する。すなわち、制御管理部１３１は、各ＰＣＳ＃Ｘの“契約容量／ＰＣＳ容量”にｂ値を乗ずることにより、出力制御値ａＸを算出する。なお、契約容量とは、ＰＣＳ容量＞パネル容量である場合には、パネル容量のことであり、ＰＣＳ容量≦パネル容量である場合には、ＰＣＳ容量のことである。
【００２８】
また、制御管理部１３１は、各ＰＣＳ＃Ｘ（Ｘ＝１〜Ｎ）についての上限出力電力ＰＭＸを算出する。ここで、上限出力電力ＰＭＸとは、出力制御値ａＸが設定されている場合におけるＰＣＳ＃Ｘの出力電力の上限値（つまり、ＰＣＳ＃Ｘの契約容量×ｂ）のことである。
【００２９】
さらに、制御管理部１３１は、総出力調整処理時に使用される変数ｋに、初期値として、１〜Ｎのいずれかを設定する。そして、制御管理部１３１は、各ＰＣＳ＃Ｘ（Ｘ＝１〜Ｎ）に、ＰＣＳ＃Ｘの出力制御値ＡＸの初期値として、ａＸを設定してから、初期設定処理を終了する。
【００３０】
総出力調整処理は、初期設定処理の完了後に、制御管理部１３１が周期的に実行する処理である。
【００３１】
以下、図２〜図４を用いて、総出力調整処理の内容を説明する。図２は、総出力調整処理の流れ図であり、図３、図４は、それぞれ、総出力調整処理中で実行される出力増大処理、出力低減処理の流れ図である。
【００３２】
図２に示してあるように、総出力調整処理を開始した制御管理部１３１は、ＩＦ１２を介した通信によりＰＣＳ＃１〜＃Ｎから、それぞれ、その時点における出力電力Ｐ１〜ＰＮを取得する（ステップＳ１０１）。このステップＳ１０１の処理は、出力電力Ｐ１〜ＰＮを測定する処理であっても良い。
【００３３】
その後、制御管理部１３１は、出力電力Ｐ１〜ＰＮの総和ΣＰｎ（以下、総出力電力と表記する）と、上限出力電力ＰＭ１〜ＰＭＮの総和（以下、総上限出力電力Ｐｔｈと表記する）とを、比較する（ステップＳ１０２）。
【００３４】
制御管理部１３１は、総出力電力が総上限出力電力Ｐｔｈ未満であった場合（ステップＳ１０２；＜Ｐｔｈ）には、ステップＳ１０３にて、出力増大処理を行う。
【００３５】
図３に示してあるように、出力増大処理時、制御管理部１３１は、まず、ＰＣＳ＃ｋに接続されている太陽電池パネル２０の発電可能電力Ｓｋが上限出力電力ＰＭｋよりも大きいか否かを判断する（ステップＳ２０１）。
【００３６】
発電可能電力Ｓｋが上限出力電力ＰＭｋ以下である場合には、ＰＣＳ＃ｋの出力制御値Ａｋを増加させても、ＰＣＳ＃ｋの出力電力Ｐｋは増加しない。そのため、発電可能電力Ｓｋが上限出力電力ＰＭｋ以下である場合（ステップＳ２０１；ＮＯ）、制御管理部１３１は、出力増大処理を終了する。
【００３７】
発電可能電力Ｓｋが上限出力電力ＰＭｋよりも大きい場合には、ＰＣＳ＃ｋの出力制御値Ａｋを増加させることにより、ＰＣＳ＃ｋの出力電力Ｐｋが増加し、その結果として総出力電力も増加する。そのため、発電可能電力Ｓｋが上限出力電力ＰＭｋ以下である場合（ステップＳ２０１；ＹＥＳ）、制御管理部１３１は、Ａｋにδを加算する（ステップＳ２０４）。ここで、δとは、出力制御値の単位増加量として予め定められている値のことである。本実施形態におけるδは、固定値（１％）であるが、δ値を、“総上限出力電力Ｐｔｈ−総出力電力”等の関数としておいても良い。
【００３８】
そして、制御管理部１３１は、δ加算後のＡｋが１００未満であった場合（ステップＳ２０３；ＹＥＳ）には、ＰＣＳ＃ｋの出力制御値を、δ加算後のＡｋに変更する（ステップＳ２０５）。一方、δ加算後のＡｋが１００以上であった場合（ステップＳ２０３；ＮＯ）、制御管理部１３１は、Ａｋを１００に変更（ステップＳ２０４）してから、ＰＣＳ＃ｋの出力制御値をＡｋ（つまり、１００）に変更する（ステップＳ２０５）。
【００３９】
そして、ステップＳ２０５の処理を終えた制御管理部１３１は、この出力増大処理を終了する。
【００４０】
図２に示してあるように、制御管理部１３１は、総出力電力が総上限出力電力Ｐｔｈよりも大きかった場合（ステップＳ１０２；＞Ｐｔｈ）には、ステップＳ１０４にて、出力低減処理を行う。
【００４１】
図４に示してあるように、出力低減処理時、制御管理部１３１は、まず、ＰＣＳ＃ｋに接続されている太陽電池パネル２０の発電可能電力Ｓｋが上限出力電力ＰＭｋよりも大きいか否かを判断する（ステップＳ３０１）。
【００４２】
発電可能電力Ｓｋが上限出力電力ＰＭｋ以下である場合には、通常、ＰＣＳ＃ｋの出力制御値Ａｋを大きく減少させないと、ＰＣＳ＃ｋの出力電力Ｐｋは減少しない。そのため、発電可能電力Ｓｋが上限出力電力ＰＭｋ以下である場合（ステップＳ３０１；ＮＯ）、制御管理部１３１は、出力低減処理を終了する。
【００４３】
発電可能電力Ｓｋが上限出力電力ＰＭｋよりも大きい場合には、ＰＣＳ＃ｋの出力制御値Ａｋを減少させることにより、ＰＣＳ＃ｋの出力電力Ｐｋが減少し、その結果として総出力電力も減少する。そのため、発電可能電力Ｓｋが上限出力電力ＰＭｋ以下である場合（ステップＳ３０１；ＹＥＳ）、制御管理部１３１は、Ａｋからδを減算する（ステップＳ３０４）。
【００４４】
そして、制御管理部１３１は、δ減算後のＡｋがａｋよりも大きかった場合（ステップＳ３０３；ＹＥＳ）には、ＰＣＳ＃ｋの出力制御値を、δ加算後のＡｋに変更する（ステップＳ３０５）。一方、δ加算後のＡｋがａｋ以下であった場合（ステップＳ３０３；ＮＯ）、制御管理部１３１は、Ａｋをａｋに変更（ステップＳ３０４）してから、ＰＣＳ＃ｋの出力制御値をＡｋ（つまり、ａｋ）に変更する（ステップＳ３０５）。
【００４５】
そして、ステップＳ３０５の処理を終えた制御管理部１３１は、この出力低減処理を終了する。
【００４６】
図２に戻って、総出力調整処理の説明を続ける。
【００４７】
出力低減処理又は出力増大処理を終えた制御管理部１３１は、変数ｋに“(ｋ mod Ｎ)
＋１”を設定する（ステップＳ１０５）。すなわち、このステップＳ１０５において、制御管理部１３１は、ｋ＝Ｎであった場合には、ｋに１を設定し、ｋ＜Ｎであった場合には
、ｋにｋ＋１を設定する。なお、このステップＳ１０５の処理は、次に実行される出力増大処理又は出力低減処理の処理対象となるＰＣＳ２５を変更するための処理である。
【００４８】
総出力電力が総上限出力電力Ｐｔｈと一致していた場合（ステップＳ１０２；＝Ｐｔｈ）にも、制御管理部１３１は、ステップＳ１０５の処理を行う。
【００４９】
ステップＳ１０５の処理を終えた制御管理部１３１は、総出力調整処理の終了条件が成立しているか否かを判断する（ステップＳ１０６）。本実施形態に係る制御管理部１３１は、出力増大処理又は出力低減処理で出力制御値が変更された場合と、総出力電力が総上限出力電力Ｐｔｈと一致している場合とに、総出力調整処理の終了条件が成立していると判断するように構成されている。ただし、他の条件、例えば、総出力電力が総上限出力電力Ｐｔｈと一致しているという条件を、総出力調整処理の終了条件として採用しても良い。
【００５０】
制御管理部１３１は、総出力調整処理の終了条件が成立していなかった場合（ステップＳ１０６；ＮＯ）には、ステップＳ１０２以降の処理を再び実行する。そして、制御管理部１３１は、総出力調整処理の終了条件が成立したとき（ステップＳ１０６；ＹＥＳ）に、総出力調整処理を終了する。
【００５１】
以上、説明したように、本実施形態に係る出力制御装置１０１は、各ＰＣＳ＃Ｘ（Ｘ＝１〜Ｎ）の出力制御機能を利用して、発電所単位の出力電力（ＰＣＳ＃１〜ＰＣＳ＃Ｎの総出力電力）が、“発電所単位での契約容量×出力制御値”となるように調整する。従って、出力制御装置１０１によれば、全出力電力を売電する複数台のＰＣＳ２５を、それらからの出力が必要以上に制限されない形（各ＰＣＳ２５の出力を各ＰＣＳ２５の上限出力電力に制御した場合よりも総出力電力が多くなる形）で、制御することが出来る。
【００５２】
《第２実施形態》
図５に、本発明の第２実施形態に係る出力制御装置１０２の概略構成及び使用形態を示す。以下、出力制御装置１０１と異なる部分を中心に、本実施形態に係る出力制御装置１０２の構成及び動作を説明する。
【００５３】
図５に示してあるように、出力制御装置１０２は、余剰電力を売電する複数台の出力制御機能を有するパワーコンディショナ（ＰＣＳ）２５からなる発電所と組み合わされて使用される装置である。
【００５４】
出力制御装置１０２は、出力制御装置１０１の制御管理部１３１を、制御管理部１３２に置換した構成を有している。
【００５５】
制御管理部１３２は、上記した総出力調整処理（図２）の代わりに、図６に示した手順の総出力調整処理を行うように制御管理部１３１を変形したユニットである。なお、制御管理部１３２が行う総出力調整処理は、売電電力（逆潮流電力）ＰＲを必要とする処理となっている。そのため、図５に示してあるように、制御管理部１３２には、売電電力ＰＲを測定するための電力センサ１８の出力が入力されている。
【００５６】
以下、制御管理部１３２が行う総出力調整処理（図６）の内容を説明する。なお、この総出力調整処理中で実行される出力増大処理、出力低減処理は、それぞれ、制御管理部１３１が実行する出力増大処理（図３）、出力低減処理（図４）と同じ処理である。
【００５７】
図６に示してあるように、総出力調整処理を開始した制御管理部１３２は、ＩＦ１２を介した通信によりＰＣＳ＃１〜＃Ｎから、それぞれ、その時点における出力電力Ｐ１〜Ｐ
Ｎを取得する（ステップＳ４０１）。また、制御管理部１３２は、売電電力ＰＲを測定する処理（電力センサ１８から売電電力ＰＲを取得する処理）も行う（ステップＳ４０１）。
【００５８】
その後、制御管理部１３２は、売電電力ＰＲと“０”とを、比較する（ステップＳ４０２）。
【００５９】
そして、制御管理部１３２は、売電電力ＰＲが“０”未満であった場合（ステップＳ４０２；＜０）には、出力増大処理（ステップＳ４０３、図３参照）を行う。
【００６０】
また、制御管理部１３２は、売電電力ＰＲが“０”よりも大きかった場合（ステップＳ４０２；＞０）には、出力低減処理（ステップＳ４０４、図４参照）を行う。
【００６１】
出力低減処理又は出力増大処理を終えた制御管理部１３２は、変数ｋに“(ｋ mod Ｎ)
＋１”を設定する（ステップＳ４０５）。売電電力ＰＲが“０”であった場合（ステップＳ４０２；＝０）にも、制御管理部１３１は、このステップＳ４０５の処理を行う。
【００６２】
ステップＳ４０５の処理を終えた制御管理部１３２は、総出力調整処理の終了条件が成立しているか否かを判断する（ステップＳ４０６）。なお、制御管理部１３２も、制御管理部１３１と同様に、出力増大処理又は出力低減処理で出力制御値が変更された場合と、出力電力が総上限出力電力Ｐｔｈと一致している場合とに、総出力調整処理の終了条件が成立していると判断するように構成されている。
【００６３】
制御管理部１３２は、総出力調整処理の終了条件が成立していなかった場合（ステップＳ４０６；ＮＯ）には、ステップＳ４０２以降の処理を再び実行する。そして、制御管理部１３２は、総出力調整処理の終了条件が成立したとき（ステップＳ４０６；ＹＥＳ）に、総出力調整処理を終了する。
【００６４】
以上、説明した総出力調整処理によれば、売電が許容される場合には、各ＰＣＳ＃Ｘ（Ｘ＝１〜Ｎ）の出力制御値Ａｘがａｘに制御される（図６及び図４参照）。そして、売電が許容されない場合には、各ＰＣＳ＃Ｘの出力制御値Ａｘが、売電電力ＰＲが“０”となるように、制御される。従って、出力制御装置１０２によれば、余剰電力を売電する複数台のＰＣＳ２５を、それらからの出力が必要以上に制限されないようにすることが出来る。
【００６５】
《変形例》
上記した各実施形態に係る出力制御装置１０（１０１、１０２）は、各種の変形を行えるものである。例えば、各実施形態に係る出力制御装置１０を、出力制御スケジュールをオペレータが入力する装置に変形することが出来る。また、各実施形態に係る出力制御装置１０を、ＰＣＳ２５に組み込んでおくことも出来る。さらに、各実施形態に係る出力制御装置１０を、具体的なハードウェア構成や、具体的な処理手順が上記したものとは異なる装置に変形しても良いことは当然のことである。
【符号の説明】
【００６６】
１０１、１０２  出力制御装置
１１  ＮＷ−ＩＦ
１２  ＩＦ
１３１、１３２  制御管理部
１４  記憶部
１８  電力センサ
２０  太陽電池パネル
２５  パワーコンディショナ（ＰＣＳ）
３０  系統
３５  負荷
４０  電力サーバ
【図１】
2018153003.tif 000003
【図２】
2018153003.tif 000004
【図３】
2018153003.tif 000005
【図４】
2018153003.tif 000006
【図５】
2018153003.tif 000007
【図６】
2018153003.tif 000008